(57)【要約】【課題】本発明の課題は、住宅の基礎に設けられている床下換気口等の開口部からの浸水を防止する止水板を提供し、集中豪雨時に発生する床下浸水を未然に防止し、甚大な被害を無くすものである。【解決手段】  止水板を引き戸の如く枠本体の溝体内を摺動させて床下換気口を開閉するものであって、前記枠本体や溝体内で他の部材と接する面にゴム又はゴムのような軟質な樹脂を塞材として使用して防水機能を施した止水機能付き床下換気口装置において、前記止水板を押し付ける手段を溝体に設けて、止水板と前記溝体内に装着したゴム又はゴムのような軟質な樹脂面とを強く密着さすことを特徴とした止水機能付き床下換気口装置。【選択図】  図２
2007239181.tif 000002
【特許請求の範囲】
【請求項１】
止水板を引き戸の如く枠本体の溝体内を摺動させて床下換気口を開閉するものであって、前記枠本体や溝体内で他の部材と接する面にゴム又はゴムのような軟質な樹脂を塞材として使用して防水機能を施した止水機能付き床下換気口装置において、前記止水板を押し付ける手段を溝体に設けて、止水板と前記溝体内に装着したゴム又はゴムのような軟質な樹脂面とを強く密着さすことを特徴とした止水機能付き床下換気口装置。
【請求項２】
請求項１記載の止水機能付き床下換気口装置に両端部が開口した筒体を取り付けたことを特徴とした止水機能付き床下換気口装置。
【請求項３】
請求項１又は２記載の止水機能付き床下換気口装置において、前記枠本体又は筒体に網を設けて成る止水機能付き床下換気口装置。
【発明の詳細な説明】
【技術分野】
【０００１】
本発明は、洪水時に、一般住宅の基礎に設置してある床下換気口等の開口部から水が侵入して床下浸水を防止する、止水機能付き床下換気口装置に関するものである。
【背景技術】
【０００２】
昨今、異常気象の現れか、集中豪雨や強力な台風によって、今まで経験したことのない災害が全国各地で発生し、床下、床上浸水が報道されている。平成１６年７月１８日未明からの福井豪雨では、３、４３３世帯が床上浸水、８，０７１世帯が床下浸水の被害が発生した。更に、平成１６年１０月２０日から２２日に日本を縦断した台風２３号では、福井県では床上浸水が２５世帯、床下浸水が２８８世帯発生し、更に、兵庫県豊岡地区では８千世帯が水につかったと報道されている。
上述の被害は一例であるが、床下浸水は床上の何倍かが発生している。
しかし、一旦、床下に水が入れば、床上浸水と同様、床板を取り外し、床を支える土台や土間等を乾燥させ、白蟻対策や消毒等、復旧工事に膨大な労働と費用が掛かかるのが現状である。
しかしながら、豪雨等の水害対策と言えば、河川の決壊や排水及び地下道等の浸水対策が主体であって、一般住宅の床下浸水の防止対策については誰でもが問題視しているにも係わらず具体的な提言や示唆が見当たらなかった。
そこで、平成１７年１０月１３日に本願と同発明者で出願人が特願２００５―２９８５０１号で種々の装置を提案した。
【特許文献１】特開２００２−２１４２６号
【特許文献２】実用新案登録番号第３００１９６３号
【発明の開示】
【発明が解決しようとする課題】
【０００３】
上記実用新案登録番号第３００１９６３号には床下換気口部に開閉さす引き戸を設けて、台風など風雨の激しい際に、換気口から床下に雨が吹き込まれないように提案がされている。しかし、洪水の際、換気口から床下に水が侵入し床下浸水を防止しようとする思想は見当たらない。
そこで、本願と同一発明者が出願した、特願２００５−２９８５０１号では種々の対応手段を提案し、その提案の中で止水板を引き戸のように開口部を開閉する手段を提案したが、この提案よりも開閉を容易にし、しかも、洪水時、水の侵入も完全に防止可能な別の手段を提案するものである。
【課題を解決するための手段】
【０００４】
請求項１から３記載の本発明は、建物のコンクリート基礎に設けてある床下換気口等の開口部に止水機能付き床下換気口装置を取り付けることによって浸水を防止するものである。
請求項１記載の本発明は、止水板を引き戸の如く枠本体に設けた溝体内を摺動させて床下換気口を開閉するものであって、前記溝体内に装着したゴム等の塞材面（該塞材とは通称言われているパッキング材で、本願では以下パッキンともいう。）と前記止水板に装着したゴム等のパッキン面とを、止水板を押し付けることによって強く密着させ、水の侵入を防止するものである。
詳細な構造は実施例の如く、前記防水機能付枠本体は開口部の２倍以上にして基礎の開口部に取り付け、止水板は開口部より幾分長くして取手等を設けて溝体内を引き戸の如く摺動させるものである。
尚、枠本体は、図２に示すように２枚の枠本体から成るものと、図７，８のように１枚の枠本体で構成するものとがある。
溝体とは、止水板を引き戸のように左右に摺動さす断面略コ字状の案内ガード溝をいう。
該溝体は枠本体から取り外し可能にネジ止めすると、点検修理のとき便利である。
尚、図１，４，６のように止水板は左右に摺動させてもよいし、図８,１０のように上下に摺動させてもよい。
【０００５】
防水機能或いは止水機能とは、枠本体や溝体内の部材面にゴム又はゴムのような軟質な樹脂を塞材として装着することや、筒体の外周に突起片を設けること等をいう。
止水板の内面（溝体内に装着したパッキン面側）にもパッキング材を装着し、更に、溝体には止水板を押し付ける手段を設け、前記溝体内に装着したパッキン面と止水板に装着したパッキン面とを強く密着させ水の侵入を防止するものである。
尚、図２のように枠本体をコンクリート基礎面にアンカーボルトで取り付ける場合には、枠本体の外面に上記のパッキング材を装着する。
但し、図７，９のように枠本体をコンクリート基礎に埋め込むときにはパッキン材は不要である。
【０００６】
止水板を溝体内に装着したパッキン面に押し付ける手段には、
図１〜３に示すように、溝体の外枠部に半円で略楕円又は略円形状の輪体を取り付け、該輪体を回動させることによって止水板を内側に押し付けパッキン面に強く密着させて水の侵入を防止する構造と
図４〜５に示すように、止水板と溝体の外枠間に楔を挿入さす構造と、
図６〜７に示すように、ナットを締め付けて溝体の間隙（溝幅）を拡縮可能にし、浸水時にはナットを締め付け、溝体の外枠部全面で止水板をパッキン面に強く密着させて水の侵入を防止する構造と、
図８〜１０に示すように、溝体の外枠部からボルト等をねじ込み止水板を押し付ける構造とがある。
上記は、パッキン面を強く密着する手段を列挙したが、これらを組み合わせてもよい。又は、他の手段を講じても本願の技術範囲に属するものと考える。
【０００７】
建物の換気口が図１０のように、換気口の上面と壁の下面とが接している建物が多く見られるが、このような既存の換気口に本願の止水機能付き換気口装置を取り付ける際には、図のように枠本体（１１）、（１２）の上部を溝体の上面に合わせてもよい。
このように、枠本体等の形状は適宜に対応すればよい。
【０００８】
請求項２記載の筒体は、コンクリート基礎の床下開口部に該筒体を挿入し、枠本体の周囲にコンクリートを流し込んで枠本体の周辺から水の侵入を防止する工法に適している。従って、この工法を使用するときにはコンクリート面に接する枠本体にパッキング材を装着する必要性は少ない。但し、枠本体がコンクリートと接する面にパッキンを装着してアンカーボルトで固定する場合でも、本願の筒体を設けても差し支えない。
本願の筒体に図７、９に示すように外周に突起片を巻くと、コンクリートの流し込み不足や、将来コンクリートに亀裂が生じても、亀裂部から水の侵入を防ぐ効果がある。
【０００９】
虫の侵入を防止すえる金網は、筒体に設けても良いし、枠本体部に設けてもよい。
【００１０】
図１に示すように防水機能付き枠本体（１１）から溝体を有する枠本体（１２）を取り外し可能にすれば、パッキンの補修や点検に便利である。
【発明の効果】
【００１１】
上述のように、台風や集中豪雨時に発生する床下浸水を未然に防止する、請求項１から３記載の止水機能付き床下換気口装置は、特開２００５−２９８５０１号発明よりも止水板を容易に開閉が可能になり、平時（洪水でない時）は床下の換気量の調整が容易で、更に、洪水の際には、止水板を強く押し付けることによってパッキン面が強く密着され浸水を完全に防止できる大きな特徴であり、その効果は筆舌できない技術的、経済的な効果と産業の発達に寄与するものと考える。
この止水機能付き床下換気口装置は、既存の換気口にも容易に設置できる等の利点がある。
又、溝体を枠本体に取り外し可能に取り付けると、パッキン材の補修や止水板の取り替え等に便利である。
【発明を実施するための最良の形態】
【００１２】
請求項１記載の発明は、止水板を引き戸のように左右、上下に容易に開閉が可能にし、更に、洪水時には止水板を強く押し付けることでパッキン面に強く密着され、水の侵入を防止する構造である。
以下、本発明の止水板を押し付ける各手段にごとに説明する。
【実施例】
【００１３】
枠本体（１）は、図２のように、床下換気口を覆い、且つ、開口部長の２倍以上の長さを有する枠本体（１１）と、溝体（２）を設けた枠本体（１２）とで構成した。又、枠本体（１１）の両面にはゴムパッキン（１３）、（１４）を装着した。（両面とは、基礎コンクリートと接する面（１３）と溝体（２）を設けている枠本体（１２）と接する面のゴムパッキン（１４）をいう。）
溝体（２）の形状は、図示のように外枠部（２１）と、溝の幅になる溝幅部（２２）と枠本体（１２）に取り付ける連結部（２３）とから成る。
溝幅部（２２）の幅は枠本体（１２）の開口部周辺に装着したゴムパッキン（２４）の厚みに止水板（３）の厚みと該止水板に装着したパッキン（３１）厚みを加え、更に、止水板（３）が引き戸のようにスムーズに摺動できる程度に余裕を持たせた幅にした。
尚、止水板には左右摺動する際に使用する取手（３２）を設けた。
【００１４】
図１、２は、溝体（２）の外枠部（２１）に開口部（２５）を設け、該開口部（２５）に入る略半円形の輪体（４）を軸支した構造である。
この半円形の輪体（４）の使用方法は、止水板を換気量の調整にのみ使用する時には、輪体（４）の円弧面（４１）を図３の（Ａ）ように外枠部（２１）の外側にセットさせた状態にして、止水板（３）を溝内に摺動させる。
洪水時には、床下に水の侵入を防止するため止水板で開口部を閉め、その後、前記輪体（４）の円弧部（４１）を図３の（Ｂ）ように外枠部（２１）の内側に回転させ、円弧面（４１）で、止水板（３）を枠本体（１２）のゴムパッキン面（２４）側に押し付けてゴムパッキン（２４）と（３１）とを強く密着させる手段である。
【００１５】
図４は前記のように構成した防水機能付き枠本体に、溝体の外枠部（２１）と止水板（３）との間に楔（５）を挿入して、溝体内面に装着したゴムパッキン（２４）と止水板に装着したゴムパッキン（３１）とを強く密着させる手段を講じたものである。
尚、平時は止水板（３）を引き戸の如く溝体内を摺動させて床下換気口を開閉するものである。
楔（５）は外枠部（２１）と止水板（３）間に挿入する手段には、
１．  図４、５のように、溝体の外枠部（２１）に設けた突片部（２６）にＬ型片（２７）の一端を軸（２８）にバネ（２９）を介在させて回動自在に軸支して、該Ｌ型片の他端の先端に楔（５）を取り付けた手段である。
尚、これを使用するときには、図５のように止水板（３）を閉め、Ｌ型片を押し付けながら楔（５）の先端を外枠部（２１）と止水板（３）間に挿入するように回動させて止水板（３）を押し付ける構造である。
２．  他の手段には、図示しないが、洪水時に止水板を閉めて、楔にみの単品を一個ずつ、溝体の外枠と止水板の間に挿入する手段とがある。
【００１６】
溝体（２）を図６，７のように外枠部（２１１）をＬ型に構成し、該外枠部（２１１）をボルト（６）によって遊動自在に支持し、蝶ナット（６１）を締め付けることによって、外枠（２１１）全体で止水板（３）をゴムパッキン（２４）側に移動させパッキン面を強く押し付ける構造である。
尚、請求項２記載の筒体（７）を枠本体（１）に取り付け、更に、請求項３記載の虫等の侵入を防止する網（８）を装着した。更に、該筒体の外周に突起片（７１）を巻き付けた。
本実施例では枠体（１）は溝体を設ける枠本体のみで構成した。
本実施例では外枠部の形状をＬ型に全体を遊動自在に支持させたが、別の手段として、枠本体に外周片を固定し、外枠部の形状を平板して該平板のみを遊動自在に支持する構造でもよい。
【００１７】
図８、９は、止水板（３）を上下に摺動させ、換気口を開閉する実施例である。
溝体（２）の外枠部（２１）にボルト（６２）を取り付けて、該ボルトを締め付けることによって、止水板（３）を押し付けパッキン面に強く密着さす構造である。
尚、請求項２記載の筒体（７）を枠本体（１）に取り付け、更に、請求項３記載の虫等の侵入を防止する網（８）を装着した。更に、該筒体の外周に突起片（７１）を巻き付けた。
本実施例では枠体（１）は溝体を設ける枠本体のみで構成した。
【００１８】
図１０は換気口の上面と壁の下面とが接している建物に、止水板を上下に摺動させ、止水板の押し付けは、ボッル（６２）を締め付けることによって行う構造の正面図である。
【００１９】
本発明に使用する素材は、特に限定するものではないが、ボルト、ネジ等は錆び難いステンレス製がよく、枠等は耐久性があるものがよい。パッキング材はゴム又はゴムのような軟質な樹脂がよい。
【図面の簡単な説明】
【００２０】
【図１】本発明の実施例で半円形の輪体を溝体の外枠部に取り付け止水板を押し付ける状態を示す正面図である。
【図２】図１の断面側面図である。
【図３】図１、２に示す本発明の実施例で、半円形の輪体の動きを示す斜視図である。        （Ａ）図は平時に止水板が開けた状態を示す拡大断面図である。        （Ｂ）図は洪水時 止水板を閉め、止水板を押し付けている状態を示す拡大断面図である。
【図４】本発明の実施例で楔を溝体の外枠と止水板間に挿入する正面図である。
【図５】図４に示す本発明の実施例で、楔を溝体の外枠部と止水板間に挿入する状態を示す拡大斜視図である。
【図６】本発明の実施例で溝体の外枠全体で止水板を押し付ける状態を示す正面図である。
【図７】図６の断面側面図である。
【図８】本発明の実施例でボルトによって止水板を押し付ける状態を示す正面図である。
【図９】図８の断面側面図である。
【図１０】本発明の実施例で止水板を上下に摺動さす装置の正面図である。
【符号の説明】
【００２１】
１        枠本体
１１      コンクリート面に接する枠本体
１２      溝体を設ける枠本体
１３      ゴムパッキン
１４      ゴムパッキン
２        溝体
２１      外枠部
２１１    外枠部
２２      溝幅部
２３      連結部
２４      パッキン
２５      開口部
２６      突片部
２７      Ｌ型片
２８      軸
２９      バネ
３        止水板
３１      パッキン
３２      取手
４        輪体
４１      円弧部
５        楔
６        ボルト
６１      蝶ナット
６２      ボルト
７        筒体
７１      突起片
８        網
９        アンカーボルト
１０      ネジ
【図１】
2007239181.tif 000003
【図２】
2007239181.tif 000004
【図３】
2007239181.tif 000005
【図４】
2007239181.tif 000006
【図５】
2007239181.tif 000007
【図６】
2007239181.tif 000008
【図７】
2007239181.tif 000009
【図８】
2007239181.tif 000010
【図９】
2007239181.tif 000011
【図１０】
2007239181.tif 000012